(57)【要約】【課題】３Ｄデータを構成する左眼映像と右眼映像を異なる記録媒体に記録した場合、一方の記録媒体がメディアフォーマットされ管理情報が消去等されると、３Ｄ映像を正常に再生できなくなるという課題がある。【解決手段】３Ｄ復旧装置は、３Ｄデータを構成する２系統のデータが記録されたデータ記録メディア１０１、１０２にアクセスするインターフェース１０３、１０４と、データ記録メディア１０２上のデータ管理情報を取得できない際に、データ記録メディア１０１上のデータ管理情報を取得する管理情報取得部と、データ記録メディア１０１から取得した管理情報を用いて、データ記録メディア１０１、１０２に記録されたデータを取得するデータ取得部と、データ記録メディア１０１、１０２から取得した２つのデータを用いて、取得したデータの有効性を判断するデータ確認部と、を備える。【選択図】図１
2012165352.tif 000002
【特許請求の範囲】
【請求項１】
３Ｄデータを構成する２系統のデータそれぞれが個別に記録された第１の記録媒体および第２の記録媒体にアクセスする記録媒体制御部と、
前記第１の記録媒体上のデータに関する管理情報を、取得できない際に、前記第２の記録媒体上のデータに関する管理情報を、取得する管理情報取得部と、
前記第２の記録媒体から取得した前記管理情報を用いて、前記第１の記録媒体および前記第２の記録媒体に記録されたデータを、取得するデータ取得部と、
前記第１の記録媒体および前記第２の記録媒体から取得した前記データ中の情報を用いて、２つの前記データに対して３Ｄデータとしての整合性を確認し、前記第１の記録媒体から取得した前記データの有効性を、判断するデータ確認部と、
を備える３Ｄデータ復旧装置。
【請求項２】
前記管理情報取得部は、前記データに関する前記管理情報として、ファイル管理情報を取得し、
前記データ取得部は、前記第２の記録媒体から取得した前記ファイル管理情報を用いて、前記第１の記録媒体および前記第２の記録媒体に記録されたデータを、取得し、
前記データ確認部は、前記第１の記録媒体および前記第２の記録媒体から取得した前記データ中の前記情報として、ファイル情報を用いて、２つの前記データに対して３Ｄデータとしての整合性を確認し、前記第１の記録媒体から取得した前記データの有効性を、判断する
請求項１に記載の３Ｄデータ復旧装置。
【請求項３】
前記第１の記録媒体から取得した前記データの一部が、３Ｄデータとして、前記第２の記録媒体から取得した前記データと非整合であった場合、前記第１の記録媒体の前記データの一部に対応する前記管理情報を、初期の管理情報に戻す管理情報復帰部、
をさらに備える請求項２に記載の３Ｄデータ復旧装置。
【請求項４】
前記データ確認部は、前記データの少なくとも一部を一意に識別するＵＭＩＤ（Ｕｎｉｑｕｅ  Ｍａｔｅｒｉａｌ  Ｉｄｅｎｔｉｆｉｅｒ）、ファイルヘッダ情報、フレーム数、フレームサイズ、フレームヘッダ情報、およびファイルフッタ情報のいずれか１つを、前記ファイル情報として用いる
請求項２又は３に記載の３Ｄデータ復旧装置。
【請求項５】
第１の記録媒体および第２の記録媒体に個別に記録された、３Ｄデータを構成する２系統のデータそれぞれについて、前記第１の記録媒体上のデータに関する管理情報が、取得できない際に、前記第１の記録媒体上のデータを、取得する３Ｄデータ復旧方法であって、
前記第１の記録媒体および前記第２の記録媒体に、アクセスするステップと、
前記第２の記録媒体上のデータに関する管理情報を、取得するステップと、
前記第２の記録媒体から取得した前記管理情報を用いて、前記第１の記録媒体および前記第２の記録媒体に記録されたデータを、取得するステップと、
前記第１の記録媒体および前記第２の記録媒体から取得した前記データ中の情報を用いて、２つの前記データに対して３Ｄデータとしての整合性を確認し、前記第１の記録媒体から取得した前記データの有効性を、判断するステップと、
を含む３Ｄデータ復旧方法。
【請求項６】
第１の記録媒体および第２の記録媒体に個別に記録された、３Ｄデータを構成する２系統のデータそれぞれについて、前記第１の記録媒体上のデータに関する管理情報が、取得できない際に、前記第１の記録媒体上のデータを、取得する３Ｄデータ復旧方法を、コンピュータに実行させるプログラムであって、
前記第１の記録媒体および前記第２の記録媒体に、アクセスするステップと、
前記第２の記録媒体上のデータに関する管理情報を、取得するステップと、
前記第２の記録媒体から取得した前記管理情報を用いて、前記第１の記録媒体および前記第２の記録媒体に記録されたデータを、取得するステップと、
前記第１の記録媒体および前記第２の記録媒体から取得した前記データ中の情報を用いて、２つの前記データに対して３Ｄデータとしての整合性を確認し、前記第１の記録媒体から取得した前記データの有効性を、判断するステップと、
を実行させるプログラム。
【発明の詳細な説明】
【技術分野】
【０００１】
本発明は、２つの記録媒体に記録された３Ｄデータを構成する２系統のデータの一部が取得できない際に、３Ｄデータを復旧させる３Ｄデータ復旧装置に関するものである。また、上記の３Ｄデータを復旧させる３Ｄデータ復旧方法、および３Ｄデータ復旧方法を実行するための３Ｄデータ復旧プログラムに、関するものである。
【背景技術】
【０００２】
左眼映像と右眼映像を同期可能に独立して撮影することによって立体的な映像（３Ｄ映像）を得る撮像装置に、注目が集まっている。立体映像を視聴する方式は、左右の視差からユーザに立体を体感させる基本原理に基づいている。
【０００３】
立体的な映像は、左眼映像および右眼映像によって構成されている。左眼映像および右眼映像それぞれが異なる記録媒体に記録される形態と、左眼映像および右眼映像が同一の記録媒体に記録される形態とが、提案されている。
【０００４】
特許文献１には、２つのメモリユニットに左右の映像それぞれを記録する複眼撮像装置が、開示されている。左右の撮像系から入力される各映像信号は、映像信号処理回路で処理された後、Ａ／Ｄ変換される。そして、Ａ／Ｄ変換された各映像信号は、メモリ制御部により、２つのメモリユニットそれぞれにデータとして書き込まれる。そして、各メモリユニットに書き込まれたデータが読み出される際には、このデータは、セレクタで設定された圧縮率に応じて間引かれることによって、圧縮される。ここで圧縮されたデータは、セレクタ回路を介してＤ／Ａ変換された後、記録再生処理部で所定フォーマットに変換されて記録される。再生信号は、記録再生処理部から２つのメモリユニットに書き込まれ、２つのメモリユニットにおいて伸張されながら読み出される。そして、この再生信号は、セレクタ回路からＤ／Ａ変換された後、表示信号生成部で表示信号に変換されて、モニタに出力される。
【先行技術文献】
【特許文献】
【０００５】
【特許文献１】特開平８−３２８７１号公報
【発明の概要】
【発明が解決しようとする課題】
【０００６】
従来の複眼撮像装置では、左眼映像と右眼映像とを異なる記録媒体に記録した場合、ユーザの操作ミス等によって、一方の記録媒体がメディアフォーマットされたり、一方の記録媒体の管理情報が消去等されたりするおそれがある。この場合、３Ｄ映像を正常に再生できなくなるという課題が生じる。
【課題を解決するための手段】
【０００７】
上記課題を解決するために、本発明の３Ｄデータ復旧装置は、記録媒体制御部と、管理情報取得部と、データ取得部と、データ確認部とを、備えている。記録媒体制御部は、３Ｄデータを構成する２系統のデータが記録された第１の記録媒体および第２の記録媒体に、アクセスする。管理情報取得部は、前記第１の記録媒体上のデータに関する管理情報を、取得できない際に、前記第２の記録媒体上のデータに関する管理情報を、取得する。データ取得部は、前記第２の記録媒体から取得した前記管理情報を用いて、前記第１の記録媒体および前記第２の記録媒体に記録されたデータを、取得する。データ確認部は、前記第１の記録媒体および前記第２の記録媒体から取得した前記データ中の情報を用いて、２つの前記データに対して３Ｄデータとしての整合性を確認し、前記第１の記録媒体から取得した前記データの有効性を、判断する。
【発明の効果】
【０００８】
上記の構成により、それぞれが２つの記録媒体に記録された、３Ｄデータを構成する２系統のデータにおいて、一方の記録媒体の管理情報が取得できない場合に、他方の記録媒体の管理情報を利用することで、データの復旧が可能となる。また、処理の対象が管理情報のみであるので、データを直接的に復旧する場合と比べて、短時間で復旧処理を完了することができる。
【図面の簡単な説明】
【０００９】
【図１】実施の形態１に係る３Ｄデータ復旧装置の構成を示すブロック図
【図２】実施の形態１に係るデータ記録メディア上の３Ｄデータファイルのメディアフォーマット前の状態を示す図
【図３】実施の形態１に係るデータ記録メディア上の３Ｄデータファイルのメディアフォーマット後の状態を示す図
【図４】実施の形態１に係るデータ記録メディア上の３Ｄデータファイルの復旧対象メディアへの管理情報の上書き時の状態を示す図
【図５】実施の形態１に係る３Ｄデータ復旧装置の処理を示すフローチャート
【図６】他の実施の形態に係るデータ記録メディア上において一部の管理情報が消去された場合の３Ｄデータファイルの状態を示す図
【発明を実施するための形態】
【００１０】
以下、図面を参照しながら実施するための形態について説明する。
【００１１】
（実施の形態１）
（１−１．データ復旧装置の構成）
図１は、実施の形態１に係る３Ｄデータ復旧装置の構成を示すブロック図である。図１において、データ記録メディア１０１およびデータ記録メディア１０２は、３Ｄデータの記録媒体である。Ｌ（左）／Ｒ（右）の映像データそれぞれは、データ記録メディア１０１とデータ記録メディア１０２とに、独立して記録される。ここで、３Ｄデータを構成するＬ／Ｒ映像データは、データ記録メディア１０１，１０２のそれぞれにおいて、同じ論理領域に記録されているものとする。なお、データ記録メディア１０１，１０２は、ハードディスク、光ディスク、半導体メモリ等である。データ記録メディア１０１，１０２は、３Ｄデータ復旧装置に対して着脱可能に構成されていてもよいし、３Ｄデータ復旧装置に内蔵されていてもよい。
【００１２】
インターフェース１０３，１０４は、データ記録メディア１０１，１０２に対して、機械的及び電気的に接続可能である。インターフェース１０３，１０４は、Ｉ／Ｏバス１０５との間の信号伝達を行う。ＣＰＵ１０６は、３Ｄデータ復旧装置における演算および制御処理を行う。ＣＰＵ１０６は、不揮発性記録メディア１０８に記録されたプログラムを読み出して実行することにより、各種演算および各種処理を実行する。メモリ１０７は、一時的なデータと、データ記録メディア１０１，１０２から抽出したデータを、記憶する。不揮発性記録メディア１０８は、プログラム等を記憶する。不揮発性記録メディア１０８は、ハードディスク等で構成される。ユーザは、入力部１０９を使用することによって、復旧処理の開始命令を３Ｄデータ復旧装置に指示する。ユーザは、入力部１０９を用いることによって、復旧対象メディアを指定することができる。表示部１１０は、ＣＰＵ１０６が実施する復旧処理の進捗状況および復旧処理結果等を、表示する。
【００１３】
図２は、データ記録メディア１０１，１０２における、３Ｄデータファイルのデータ記録領域の状態の一例を示す図である。３Ｄデータ２０１は、データ記録メディア１０１とデータ記録メディア１０２とに記録されたＬ／Ｒ映像データファイルから、構成される。データをファイルとして記録する一般的なデータ記録メディア１０１，１０２は、ファイル管理情報が記録されるシステム領域と、映像データの実体が記録されるユーザ領域とから、構成される。ファイル管理情報には、記録されているデータファイルのメディアにおける記録位置情報や、ファイルサイズ等が、保持される。これらファイル管理情報を参照することによって、ファイルシステムはデータファイルの操作が可能となる。但し、ユーザ領域にファイル管理情報の一部を記録するファイルシステムも存在する。この場合、ファイル管理情報が記録された領域が、ユーザ領域であっても、ファイルシステムは、ファイル管理情報を認識する。
【００１４】
ファイル削除動作は、ファイル管理情報のみを消去する方式と、ファイル管理情報と共にユーザ領域に記録された映像データの実体を消去する方式とが、存在する。本実施の形態１における３Ｄ復旧装置において３Ｄデータの復旧が可能となるのは、ファイル管理情報のみ消去された場合である。図２において、ファイル管理情報は、システム領域２０２，２０３に記録されている。また、映像データの実体の一例としてのデータファイルは、ユーザ領域２０４，２０５に記録されている。例えば、ユーザ領域２０４にはファイルＡ（Ｌ）〜Ｄ（Ｌ）が記録され、ユーザ領域２０５にはファイルＡ（Ｒ）〜Ｄ（Ｒ）が記録されている。なお、図２では、ユーザ領域２０４の代表的なファイルＡ（Ｌ）に対して符号２０６を付し、ユーザ領域２０５の代表的なファイルＡ（Ｒ）に対して符号２０７を付している。
【００１５】
図３は、データ記録メディア１０１の状態、およびメディアフォーマット処理を実行したデータ記録メディア１０２の状態の一例を示す図である。図３では、メディアフォーマット処理により、データ記録メディア１０２のシステム領域２０３のファイル管理情報が、消去されている。しかし、ユーザ領域２０５における映像データの実体、例えばファイルＡ（Ｒ）〜Ｄ（Ｒ）は、残されたままである。ファイル管理情報が削除された場合、ファイルシステムは、ユーザ領域２０５に記録された実体の記録領域、例えばファイルＡ（Ｒ）〜Ｄ（Ｒ）の記録領域を、特定できないため、ファイルＡ（Ｒ）〜Ｄ（Ｒ）を認識することが不可能となる。
【００１６】
図４は、メディアフォーマットによりファイル管理情報が消去されたデータ記録メディア１０２に対して、データ記録メディア１０１のファイル管理情報を上書きした状態を示す図である。データ記録メディア１０１のファイル管理情報を、データ記録メディア１０２のファイル管理情報に上書きすることにより、データ記録メディア１０１に記録されているファイルの論理領域に対応した、データ記録メディア１０２の論理領域において、ファイルシステムはファイルを認識することが可能となる。つまり、３Ｄデータとして記録されたＬ／Ｒ映像データが、データ記録メディア１０１，１０２の同じ論理領域に記録されている場合、一方のファイル管理情報が削除されても、他方のファイル管理情報を、削除されたファイル管理情報（上記の一方のファイル管理情報）として用いることにより、ファイルシステムは、データファイルを参照することが可能となる。
【００１７】
例えば、図４では、データ記録メディア１０１のファイル管理情報をデータ記録メディア１０２に上書きすることによって、ファイルシステムは、ファイルＡ（Ｒ），Ｂ（Ｒ），Ｃ（Ｒ）を認識することができる。一方で、ユーザ領域２０４，２０５では、ファイルＤ（Ｌ）２０８とファイルＤ（Ｒ）２０９とは、ファイルが記録された論理領域が異なっている。このため、この場合、ファイルシステムは、ファイル管理情報の上書きによってファイルＡ（Ｒ），Ｂ（Ｒ），Ｃ（Ｒ）を認識できたとしても、ファイルＤ（Ｒ）２０９を正常に認識することはできない。この場合の処理については、後述するステップ１１０，１１３（Ｓ１１０，Ｓ１１３）において詳細に説明する。
【００１８】
なお、図４におけるデータ記録メディア１０２のファイルの実体は、ファイルＡ（Ｒ）〜Ｄ（Ｒ）である。しかしながら、図４のデータ記録メディア１０２では、データ記録メディア１０１のファイル管理情報が用いられるので、ファイルシステムは、ファイルＡ（Ｒ）〜Ｄ（Ｒ）を、ファイルＡ（Ｌ）〜Ｄ（Ｌ）として、認識する。図４は、この状態を示したものである。図４では、この状態を、ファイルシステムが認識するファイル名であるファイルＡ（Ｌ）〜Ｄ（Ｌ）を破線で囲むことによって、表現している。
【００１９】
（１−２．データ復旧装置の動作）
図５は、実施の形態１に係る３Ｄデータ復旧装置の処理を示すフローチャートである。３Ｄデータが記録された２つのデータ記録メディア１０１，１０２のいずれか一方のメディアにおいて、ファイル管理情報が削除された場合、３Ｄデータ復旧装置は、ファイル管理情報が削除されたデータ記録メディア（復旧対象メディア）に対して、復旧処理を開始する。
【００２０】
Ｓ１０１において、管理情報参照元メディアが、指定される。管理情報参照元メディアは、復旧対象メディアに上書きするファイル管理情報を保持するメディアである。Ｓ１０２において、復旧対象メディアが指定される。Ｓ１０１，Ｓ１０２におけるメディアの指定方法は、ユーザによる手動設定と、３Ｄデータ復旧装置における自動設定とがある。手動設定では、ユーザが入力部１０９を用いることによって、管理情報参照元メディア及び復旧対象メディアのいずれか、又は両方が、指定される。
自動設定の一例では、データ記録メディア１０１，１０２が接続されるインターフェース１０３，１０４のいずれか一方が、管理情報参照元メディア専用のインターフェースに指定される。また、インターフェース１０３，１０４のいずれか他方が、復旧対象メディア専用のインターフェースに指定される。これによって、管理情報参照元メディアおよび復旧対象メディアが、指定される。
また、自動設定の他の一例では、データ記録メディア１０１，１０２それぞれに記録されている、ファイル数や記録データサイズ等の情報が、比較される。そして、ファイル削除が発生した可能性のある一方のデータ記録メディアが、復旧対象メディアとして指定され、他方のデータ記録メディアが、管理情報参照元メディアとして指定される。具体的には、３Ｄデータのみが記録されたデータ記録メディア１０１，１０２では、ファイル削除が実行された一方のデータ記録メディアは、他方のデータ記録メディアより、記録ファイル数や記録データサイズが小さくなる可能性が高い。
このように管理情報参照元メディアおよび復旧対象メディアを特定することによって、メディアを自動的に指定することができる。
【００２１】
Ｓ１０３において、ＣＰＵ１０６は、３Ｄデータが記録されたデータ記録メディア１０１，１０２のファイル管理情報を取得し、メモリ１０７または不揮発性記録メディア１０８にバックアップする。なお、後述するように、復旧対象メディアのファイル管理情報が、管理情報参照元メディアのファイル管理情報で上書きされた場合、上書きされたファイル管理情報を元のファイル管理情報に戻すためのデータとして、Ｓ１０３においてバックアップされたファイル管理情報が使用される可能性がある。
【００２２】
Ｓ１０４において、ＣＰＵ１０６は、Ｓ１０３で取得したデータ記録メディア１０１，１０２のファイル管理情報を比較する。例えば、ＣＰＵ１０６は、データ記録メディア１０１，１０２のそれぞれに記録されているファイル数やデータサイズに差異が存在するか否かを、比較する。Ｓ１０４の管理情報比較処理でＣＰＵ１０６が差異を検知できなかった場合、Ｓ１０５において、ＣＰＵ１０６は、ファイル削除が一方のデータ記録メディアのみに発生したと、判定できない。この場合、Ｓ１０６において、ＣＰＵ１０６は、復旧処理中止のメッセージを表示して、復旧処理を終了する。
【００２３】
Ｓ１０４の管理情報比較処理において、ＣＰＵ１０６が、データ記録メディア１０１，１０２のファイル管理情報に差異を検出した場合、Ｓ１０７において、ＣＰＵ１０６は、復旧対象メディアのファイル管理情報を、管理情報参照元メディアのファイル管理情報で上書きする。Ｓ１０８において、ＣＰＵ１０６は、ファイル管理情報の上書きにより参照可能となったファイルの整合性、すなわち３Ｄデータを構成するデータ記録メディア１０１，１０２に記録されたＬ／Ｒ映像データファイルの整合性を、確認する。Ｌ／Ｒ映像データの整合性が確認できた場合、ＣＰＵ１０６は、復旧対象メディアから取得した映像データが有効であると判断する。以下に、Ｌ／Ｒ映像データファイルの整合性を確認する方法の具体例を、詳細に説明する。
【００２４】
データ記録メディア１０１，１０２に記録された各３Ｄデータは、記録開始と記録終了とが同じであるため、記録される映像フレームの数が等しくなる。つまり、ファイル管理情報の上書きにより参照可能となった映像データファイルの映像フレームの数と、管理情報参照元となった映像データファイルから検出される映像フレーム数が等しいか否かを、ＣＰＵ１０６は判別する。これにより、ＣＰＵ１０６は、３Ｄデータを構成するデータ記録メディア１０１，１０２に記録されたＬ／Ｒ映像データファイルの整合性を、確認する。
【００２５】
また、ＣＰＵ１０６は、映像フレームの数に代えて、フレームサイズを用いて、Ｌ／Ｒ映像データファイルの整合性を判別することもできる。また、ＴＣ（タイムコード）等のような時間情報が、フレームヘッダ毎に含まれる映像データでは、Ｌ／Ｒ映像に対応する２つの映像データファイルのフレームヘッダが、同じ時間情報であるか否かを、ＣＰＵ１０６は判別する。これにより、ＣＰＵ１０６は、Ｌ／Ｒ映像データファイルの整合性を確認する。
また、ファイルヘッダやファイルフッタには、ＵＭＩＤ（Ｕｎｉｑｕｅ  Ｍａｔｅｒｉａｌ  Ｉｄｅｎｔｉｆｉｅｒ）等のファイル固有のメタ情報が含まれている。このため、データ記録メディア１０１，１０２における２つのＬ／Ｒ映像データファイルのメタ情報が相関関係を有している場合においては、ファイル管理情報の上書きにより参照可能となった映像データファイルと、管理情報参照元となった映像データファイルとから、相関関係のあるメタ情報が検出されるか否かを、ＣＰＵ１０６は判別する。これにより、ＣＰＵ１０６は、Ｌ／Ｒ映像データファイルの整合性を確認する。なお、ＣＰＵ１０６は、上述した判別の形態を複数組み合わせて、判別を行っても良い。
【００２６】
また、ファイル単体の整合性、例えばＬ映像データファイル単体の整合性およびＲ映像データファイル単体の整合性に関しては、ＣＰＵ１０６は、各映像データファイルの整合性を確認するためのベリファイツールを、参照可能となった映像データファイルに対して使用することによって、各映像データファイルの整合性を確認する。これにより、映像データファイル単体に異常が発生していた場合に、この映像データファイルを修復することができる。
【００２７】
Ｓ１０９において、Ｌ／Ｒ映像に対応する２つの映像データファイルの整合性が認められなかった場合、Ｓ１１０において、整合性がとれない映像データファイルが、参照可能となった全ての映像データファイルであるのか、または参照可能となった全ての映像データファイルの中の一部の映像データファイルであるのかを、ＣＰＵ１０６は判別する。ここで、全ての映像データファイルに対して整合性が認められないとＣＰＵ１０６が判別した場合、Ｓ１１１において、ＣＰＵ１０６は、Ｓ１０３においてバックアップされた元のファイル管理情報を用いて、復旧対象メディアのファイル管理情報を、上書き前のファイル管理情報に戻す。そして、Ｓ１１２において、ＣＰＵ１０６は、復旧処理停止のメッセージを表示して、復旧処理を終了する。
Ｓ１１０において、全ての映像データファイルの中の一部の映像データファイルに対して整合性が認められないとＣＰＵ１０６が判別した場合、ＣＰＵ１０６は、Ｓ１１３において、整合性が認められなかった映像データファイルのファイル管理情報のみを、Ｓ１０３においてバックアップされた元のファイル管理情報を用いて、上書き前の復旧対象メディアのファイル管理情報に戻す。なお、整合性が認められた映像データファイルに対しては、ＣＰＵ１０６は、復旧対象メディアのファイル管理情報を保持する。これにより、整合性の確認のとれている映像データファイルのみが参照可能となる。
【００２８】
Ｓ１１４の段階においては、参照可能な全ての映像データファイルは、映像データファイルとしての整合性及び有効性が、確認済みである。しかしながら、３Ｄデータ記録方式の形態によっては、メタ情報の修正が必要になる場合がある。具体的には、一般的なファイルシステムにおいて、ファイル名はファイル管理情報に含まれている。このため、ファイル管理情報の上書きにより参照可能となった映像データファイルのファイル名、すなわち復旧対象メディアにおいて参照可能となった映像データファイルのファイル名は、管理情報参照元メディアのファイル管理情報に含まれるファイル名に、置き換えられる。したがって、記録機器において、Ｌ／Ｒ映像に対応する２つのファイル名に命名規則が存在する場合には、この固有の命名規則に準じて、復旧対象メディアの映像データファイルのファイル名が変更される。
なお、命名規則が存在しない場合、すなわち復旧対象メディアの映像データファイルのメタ情報の修正が不要の場合には、Ｓ１１４は省略してもよい。
【００２９】
上記のように、本実施の形態に示した３Ｄデータ復旧方法では、３Ｄデータが記録された２つのデータ記録メディア１０１，１０２の一方が、メディアフォーマットされたとしても、Ｌ／Ｒ映像を構成する映像データを、参照可能なデータファイルとして、復旧することが可能となる。
【００３０】
（他の実施の形態）
本発明の実施の形態として、実施の形態１を例示した。しかし、本発明は、実施の形態１に限定されるものではない。以下に、本発明の他の実施の形態を、まとめて説明する。さらに、本発明は、以下に示す他の実施の形態に限定されるものではなく、適宜修正された実施の形態に対して、適用可能である。
【００３１】
実施の形態１では、図１に示すように、２つのデータ記録メディア１０１，１０２それぞれに対してインターフェース１０３，１０４を設ける場合の例を説明した。これに代えて、２つのデータ記録メディア１０１，１０２に対して、１つのインターフェースだけが設けられるようにしてもよい。この場合、まず、管理情報参照元メディアをインターフェースに装着することによって、この管理情報参照元メディアからファイル管理情報を取得する。次に、管理情報参照元メディアをインターフェースから取り外す。続いて、このインターフェースに復旧対象メディアを装着することによって、復旧対象メディアのファイル管理情報を取得する。
このように、管理情報参照元メディアのファイル管理情報と復旧対象メディアのファイル管理情報とを取得し、図５のＳ１０４以降と同様の処理を実行することによって、実施の形態１と同様に、３Ｄデータを復旧することができる。
【００３２】
また、実施の形態１では、図３に示したように、一方のデータ記録メディア１０２のシステム領域２０３の全てのファイル管理情報が消去された場合の例を示した。この場合とは別に、一方のデータ記録メディア１０２のシステム領域２０３の一部のファイル管理情報だけが消去された場合においても、本発明は適用可能である。
ここでは、データ記録メディア１０２のファイル管理情報Ａ（Ｒ）〜Ｃ（Ｒ）が消去され、ファイル管理情報Ｄ（Ｒ）だけが残っている場合の例を用いて、説明する（図６を参照）。この場合も、実施の形態１と同様に、Ｓ１０７において、データ記録メディア１０１のファイル管理情報が、データ記録メディア１０２のファイル管理情報に上書きされる。すると、データ記録メディア１０２のファイルＡ（Ｒ）〜Ｄ（Ｒ）が、参照可能となる。
ここで、一部のファイルが整合しない場合、例えば図４に示したように、データ記録メディア１０１のファイルＤ（Ｌ）と、データ記録メディア１０２のファイルＤ（Ｒ）との整合性がとれない場合は、Ｓ１１３の処理が、実行される。つまり、Ｓ１０３においてバックアップされたデータ記録メディア１０２のファイル管理情報Ｄ（Ｒ）が、データ記録メディア１０２のファイル管理情報として用いられる。これにより、ファイルＡ（Ｒ）〜ファイルＤ（Ｒ）全てが、参照可能となる。
【００３３】
実施の形態１に係る３Ｄデータ復旧装置において実行される３Ｄデータ復旧方法については、コンピュータにおいて実行されるコンピュータプログラムによっても、構成することもできる。また、当該３Ｄデータ復旧方法のコンピュータプログラムについては、コンピュータによって読み取り可能な記録媒体に記録されていてもよい。記憶媒体には、磁気ディスク、光ディスク、光磁気ディスク、ＩＣカード、半導体メモリ等が含まれる。より具体的には、記憶媒体には、フレキシブルディスク、ハードディスク、ＣＤ−ＲＯＭ、ＤＶＤ、ＤＶＤ−ＲＯＭ、ＤＶＤ−ＲＡＭ、ＢＤ（Ｂｌｕ−ｒａｙ  Ｄｉｓｃ）（登録商標）が含まれる。
【産業上の利用可能性】
【００３４】
本実施の形態に係る３Ｄデータ復旧装置は、２つの記録媒体に記録された３Ｄデータを構成する２系統のデータにおいて、一方の記録媒体の管理情報が取得できない場合に、他方の記録媒体の管理情報を利用することで、データを復旧することができるので、有用である。また、このようなデータ復旧の形態は、３Ｄデータを取り扱う３Ｄ撮像装置、編集装置、または復旧装置に適用することができるので、有用である。
【符号の説明】
【００３５】
１０１、１０２  データ記録メディア
１０３、１０４  インターフェース
１０５  Ｉ／Ｏバス
１０６  ＣＰＵ
１０７  メモリ
１０８  不揮発性記録メディア
１０９  入力部
１１０  表示部
【図１】
2012165352.tif 000003
【図２】
2012165352.tif 000004
【図３】
2012165352.tif 000005
【図４】
2012165352.tif 000006
【図５】
2012165352.tif 000007
【図６】
2012165352.tif 000008